(57)【特許請求の範囲】
【請求項１】
背凭れの起伏に連動して変位するアームと、該アームの変位に伴って回転する第１回転部材と、該第１回転部材と摘み操作によって連結および非連結状態となる第２回転部材と、該第２回転部材の回転に伴って回動する駆動アームと、該駆動アームの回動に連動してガイドレール上を移動するスライドブロックと、該スライドブロックに取付けられ移動によって先端の股受けが開閉する股受けアームとを具備したことを特徴とする産婦人科用検診台。
【請求項２】
前記ガイドレールは患者の太股の開脚に適合したカーブに形成されていることを特徴とする請求項１記載の産婦人科用検診台。
【発明の詳細な説明】
【０００１】
【発明の属する技術分野】
本発明は、産婦人科等において検診を行なう際に、患者の太股を載置した股受けが、股関節に疾患がある患者の検診に適した状態で開脚するようにした産婦人科用検診台に関する。
【０００２】
【従来の技術】
従来における産婦人科用検診台は、患者が股受けに太股を乗せた状態で着座した後、背凭れと座部が一体となった検診台を伏倒することにより、該検診台の伏倒に伴って前記股受けが連動して左右方向に同じ角度だけ開放されるものであった。
【０００３】
【発明が解決しようとする課題】
ところで、前記した従来における産婦人科用検診台にあっては、股受けが強制的に左右方向に回動されるため、例えば、  股関節に疾患のある患者の検診にあっては、患者に対して無理の力が股関節に加わるため、患者に苦痛を与えるといった問題があった。
【０００４】
本発明は前記した問題点を解決せんとするもので、その目的とするところは、股受けを左右別作動になすと共に、左右の股受けを個々に単独で開脚が行なわれないように固定することができ、かつ、開脚された任意の位置で固定することができるようにした産婦人科用検診台を提供せんとするにある。
【０００５】
【課題を解決するための手段】
本発明の産婦人科用検診台は前記した目的を達成せんとするもので、請求項１の手段は、背凭れの起伏に連動して変位するアームと、該アームの変位に伴って回転する第１回転部材と、該第１回転部材と摘み操作によって連結および非連結状態となる第２回転部材と、該第２回転部材の回転に伴って回動する駆動アームと、該駆動アームの回動に連動してガイドレール上を移動するスライドブロックと、該スライドブロックに取付けられ移動によって先端の股受けが開閉する股受けアームとを具備したものである。
【０００６】
請求項２の手段は、前記した請求項１において、前記ガイドレールが患者の太股の開脚に適合したカーブに形成されていることを特徴とする。
【０００７】
【発明の実施の形態】
以下、本発明に係る産婦人科用検診台の実施の形態を図面と共に説明する。
図１〜図３において、１は床面に載置された基台、２は該基台１に対して支持アーム１ａ（図４〜図６参照）によって回動自在に軸支され、かつ、公知の起伏機構によって起伏自在に取付けられた背凭れ、３は該背凭れ２の下部にスライド自在に取付けられ、背凭れ２が起立状態の時には座面を形成し、伏倒状態の時には背凭れ２の下面に収容される座部である。なお、２ａは前記背凭れ２に対して着脱自在に取付けられた肘掛けである。
【０００８】
４は前記背凭れ２の裏面において後述する開閉機構によって左右別作動で、かつ、別個で回動が行なえないように固定できると共に任意の位置で固定可能に取付けされた股受けアーム、４ａは該股受けアーム４の先端に取付けられた股受けである。
【０００９】
次に、図４〜図８と共に本発明の要部である股受けアーム４を回動するための機構について説明する。
５は前記背凭れ２の左右下部に固定されたガイドレールにして、前記股受け４ａに載置した患者の太股を開脚するに際して、該患者の太股の開脚に適合するカーブに形成されている。
【００１０】
前記各ガイドレール５にはローラを具備し、かつ、ガイドレール５に沿って円滑に移動するスライドブロック６が取付けられている。このスライドブロック６には前記股受けアーム４の後端が取付けられている。従って、スライドブロック６がガイドレール５に沿って移動することにより、股受け４ａは図２の閉じた状態と、図３の開いた（開脚）状態となる。なお、前記スライドブロック６の前記股受けアーム４が取付けられた面とは反対側の面には自在ボール６ａが形成されている。
【００１１】
７は前記基台１の支持アーム１ａに一端が軸支されたアーム、８は該アームの他端に一端がピン７ａによって軸支された第１回転部材にして、前記背凭れ２の側面に固定された固定軸２ｂに対して一部が回転自在に軸支されている。９は前記第１回転部材８の内側において前記固定軸２ｂに対して回転自在に軸支された第２部材にして、スプリング１０によって第２回転部材９が第１回転部材８から抜け出る方向にバネ付勢されている。なお、１１は第２回転部材９が第１回転部材８から抜け出るのを防止するため、第１回転部材８の開口部に取付けられたストッパリングである。
【００１２】
前記第２回転部材９には１８０度の間隔で突起９ａが形成されており、この突起９ａは前記第１回転部材８に形成されたリング状溝８ａあるいは１８０度の間隔で形成された溝８ｂ内の何れかに入り込むようになっている。すなわち、前記スプリング１０のバネ力で付勢されている状態にあっては、突起９ａは溝８ｂ内に臨み、バネ付勢に抗した状態にあっては、突起９ａはリング状溝８ａ内に臨むように構成されている。
【００１３】
また、前記固定軸２ｂが取付けられた取付面側には歯部２ｃが形成されると共に、この歯部２ｃと対向する第２回転部材９の先端には歯部９ｂが形成され、スプリング１０のバネ力に抗して押圧された場合には前記２つの歯部２ｃ，９ｂとは噛合されロックされる。さらに、固定軸２ｂの先端には雄ネジ２ｄが形成され、この雄ネジ２ｄにスペーサ１３を介して摘み１２が螺合されている。
【００１４】
このように第１、第２回転部材８，９を構成することにより、図７の摘み１２を緩めた状態にあっては、第２回転部材９はスプリング１０によってバネ付勢されているため、突起９ａが溝８ｂ内に位置した状態となって一体化され、従って、アーム７の移動によって第１回転部材８が回転されると第２回転部材９も回転される。
【００１５】
一方、図８の摘み１２をスプリング１０のバネ力に抗して締め付け、第２回転部材９の歯部９ｂを固定軸２ｂの歯部２ｃに噛合させると、該第２回転部材９の突起９ａは第１回転部材８のリング状溝８ａ内に移動するため、アーム７が移動して第１回転部材８が回転しても第２回転部材９はロックされた状態となって回転することはない。
【００１６】
１４は前記固定軸２ｂの近傍に一端が固定された固定アーム、１５は該固定アーム１４の先端に一端が軸支された駆動アームにして、中間部にへ字状の案内孔１５ａが形成され、この案内孔１５ａに前記第２回転部材９の延長部に取付けられたローラ９ｃが挿入され、また、先端には前記自在ボール６ａが回転、かつ、摺動自在に案内されるＣ字状のガイド部材１５ｂが一体的に形成されている（図７，８参照）。
【００１７】
以下、本発明に係る産婦人科用検診台の動作について説明する。
図１，２，４に示す背凭れ２が起立状態、すなわち、患者が着座し、かつ太股を股受け４に乗せている状態にあっては、アーム７と第１回転部材８とを連結するピン７ａが下方に位置しているので、第１回転部材８を介して第２回転部材９のローラ９ｃが駆動アーム１５の案内孔１５ａの左端部に移動し、駆動アーム１５を上方に押し上げている。
【００１８】
従って、自在ボール６ａはガイド部材１５ｂによって押し上げられ、スライドブロック６はガイドレール５の上方に移動されている。これにより、股受けアーム４は図１，２，７に示すように中心側に移動している。
【００１９】
次に、股関節に疾患のない患者の治療を行なう場合について説明する。すなわち、左右一対の股受けアーム４を連動して外側に移動させ開脚を行なわせる場合について説明する。この場合には、摘み１２を図７に示すように、固定軸２ｂの雄ネジ２ｄに対して緩め、第１回転部材８の溝８ｂに第２回転部材９の突起９ａが嵌合され連動して回転するようにセットしておく。
【００２０】
この状態において、背凭れ２を公知の起伏機構によって伏倒させると、アーム７が第１回転部材８が反時計方向に回転させるので、第２回転部材９も反時計方向に回転される。この第２回転部材９が反時計方向に回転されると、ローラ９ｃが駆動アーム１５の案内孔１５ａの中心側に向かって移動するため、該駆動アーム１５は固定アーム１４との軸支部を支点として同じく反時計方向に回転される。
【００２１】
従って、反時計方向に回転される駆動アーム１５のガイド部材１５ｂに案内されている自在ボール６ａが、該ガイド部材１５ｂに案内されながら下方に移動するため、自在ボール６ａが取付けられているスライドブロック６はガイドレール５の下方に向かって移動する。これにより、股受けアーム４は患者の太股の開脚に適合するカーブで外側に向かって回動し、従って、股受け４ａで支持されている太股は開脚される。
【００２２】
また、前記伏倒動作において、図５の伏倒位置を越えて背凭れ２はさらに伏倒され、ローラ９ｃは案内孔１５ａの頂部を越えて移動するが、この移動において自在ボール６ａがガイド部材１５ｂ内を移動することがないため、股受けアーム４は強制的に外側に向かって回動することがなく、フリーな状態となる。従って、患者に対して過度の開脚を強制することがなく、患者に無用な苦痛を与えることがないものである。
【００２３】
さらに、前記開脚途中において、摘み１２をスプリング１０のバネ力に抗して締め付け、第２回転部材９を押し付け突起９ａをリング状溝８ａ側に移動させると、第１回転部材８の回転とは連動して回転しなくなるため、所望の開脚位置において背凭れ２の伏倒量とは無関係に股受け４ａを固定することができる。
【００２４】
なお、治療が終了した後は、背凭れ２を起立させることにより、アーム７が第１回転部材８を時計方向に回転させ、前記した動作とは逆の動作で股受けアーム４が閉じられ方向に回動され、股受け４ａに支持されている患者の太股は閉じられ初期の状態に戻る。
【００２５】
次に、患者における股関節に疾患があり、片方の股のみを開脚する場合について説明する。
例えば、一方の股は開脚させ、他方の股は開脚させない場合は、開脚させる側の摘み１２を緩め、開脚させない側の摘み１２を締め付けることにより、一方の股受けアーム４は背凭れ２の伏倒に連動して開脚方向に回動され、他方の股受けアーム４は第１、第２回動部材８，９が連動しないことから閉じた状態で固定されたままとなる。
【００２６】
また、両方の股を途中まで開脚させる場合には、両方の摘み１２を緩めた状態で背凭れ２を伏倒させ、前記途中まで開脚させる位置に達した状態において、両方の摘み１２を締め付けることにより、前記した動作説明からして背凭れ２のそれ以上の伏倒とは関係なく股受け４ａは固定された状態となる。従って、股関節に疾患のある患者に対して苦痛を与えることがないものである。
【００２７】
なお、前記したガイドレール５は前記した形状に限定されるものではなく、患者の太股を無理なく開脚することができるような形状であれば、どの様な形状のものであってもよい。また、第１、第２回転部材８，９の連動動作と非連動動作は前記した実施の形態に限定されるものではなく、例えば、スイッチ操作によって励磁される電磁ロックのようなものも使用できる。
【００２８】
【発明の効果】
本発明は前記したように、背凭れの起伏によって変位するアームと、股受けアームとを連結する連結機構を外部操作によって非連結状態となし、背凭れの起伏とは連動せずに股受けアームが固定されるようにしたので、股受けを左右別作動になすと共に、左右の股受けを個々に単独で開脚が行なわれないように固定することができ、かつ、開脚された任意の位置で固定することができ、従って、股関節に疾患のある患者に対して苦痛を与えることがない。
【００２９】
また、股受けアームを開閉方向に変位させるためのガイドレールが、患者の太股の開脚に適合したカーブに形成されているので、開脚時において股関節に無理な外力が作用することがない等の効果を有するものである。
【図面の簡単な説明】
【図１】本発明に係る産婦人科用検診台の起立状態を示す正面図である。
【図２】同上の平面図である。
【図３】伏倒状態の平面図である。
【図４】起立状態の駆動機構を示した側面図である。
【図５】同上の途中まで伏倒した状態の側面図である。
【図６】最終位置まで伏倒した状態の側面図である。
【図７】背凭れに連動して開脚が行なえる状態の連結機構の断面図である。
【図８】背凭れに連動しない状態の連結機構の断面図である。
【符号の説明】
２          背凭れ
４          股受けアーム
４ａ        股受け
５          ガイドレール
６          スライドブロック
７          アーム
８          第１回転部材
９          第２回転部材
１２        摘み
１５        駆動アーム
【図１】
0003578606.tif 000002
【図２】
0003578606.tif 000003
【図３】
0003578606.tif 000004
【図４】
0003578606.tif 000005
【図５】
0003578606.tif 000006
【図６】
0003578606.tif 000007
【図７】
0003578606.tif 000008
【図８】
0003578606.tif 000009